(57)【要約】【課題】簡単に保守点検対象の遠隔監視に用いられる監視画面を携帯端末に表示することができる画面表示システムを得る。【解決手段】保守点検対象１３０には、少なくともＩＣタグ固有識別番号が記憶された非接触ＩＣタグ１２０が貼付され、保守点検対象１３０の遠隔監視画面を表示可能な携帯端末１０により、作業対象の保守点検対象１３０に貼付された非接触ＩＣタグ１２０からＩＣタグ識別番号を読取り、携帯端末１０に内蔵した監視画面属性表１０３と、機器番号・固有ＩＣ対応表１０５を用いて、携帯端末１０の表示制御部１００により、該当する保守点検対象１３０の遠隔監視画面を検索し、携帯端末１０の表示装置１０１に表示するようにした。【選択図】図１
2008191769.tif 000002
【特許請求の範囲】
【請求項１】
保守点検対象機器近傍に貼付され、固有識別情報と保守点検情報が記録された非接触型ＩＣタグ、及びこの非接触型ＩＣタグから上記固有識別情報を読取り、この読取った固有識別情報に対応する上記保守点検対象機器の状態を監視する監視画面を表示する携帯端末を備え、
上記携帯端末は、上記非接触型ＩＣタグより上記固有識別情報を読取るタグリーダと、上記非接触型ＩＣタグの固有識別情報及び上記非接触型ＩＣタグが貼付された上記保守点検対象機器を対応付けた対応表と、この対応表を用いて、上記タグリーダにより読取られた固有識別情報に対応する保守点検対象機器を検索し、この検索した保守点検対象機器の監視画面を表示する表示制御部とを有することを特徴とする画面表示システム。
【請求項２】
上記表示制御部は、上記表示する上記保守点検対象機器の監視画面で、上記保守点検対象機器が容易に識別されるように表示することを特徴とする請求項１記載の画面表示システム。
【請求項３】
上記携帯端末は、上記保守点検対象機器の故障履歴及び操作履歴を含むイベント情報を有し、上記表示制御部は、上記対応表を用いて、上記タグリーダにより読取られた固有識別情報に対応する保守点検対象機器を検索し、この検索した保守点検対象機器の上記イベント情報を表示することを特徴とする請求項１または請求項２記載の画面表示システム。
【請求項４】
上記携帯端末は、上記保守点検対象機器の測定値の時系列データを含むトレンド情報を有し、上記表示制御部は、上記対応表を用いて、上記タグリーダにより読取られた固有識別情報に対応する保守点検対象機器を検索し、この検索した保守点検対象機器の上記トレンド情報を表示することを特徴とする請求項１〜請求項３のいずれかに記載の画面表示システム。
【請求項５】
上記非接触型ＩＣタグに記録された保守点検情報には保守点検日が含まれ、上記表示制御部は、最新の保守点検日以降の上記イベント情報を表示することを特徴とする請求項３記載の画面表示システム。
【発明の詳細な説明】
【技術分野】
【０００１】
この発明は、プラントの設備機器の状態を遠隔で監視する監視画面を、これらの機器の保守・点検を実施する際に表示する画面表示システムに関するものである。
【背景技術】
【０００２】
従来の保全・点検システムとして、たとえば特許文献１には、現場にある操作対象機器に非接触型ＩＣタグ（ＲＦＩＤ：ＲＡＤＩＯ  ＦＲＥＱＵＥＮＣＹ  ＩＤＥＮＴＩＦＩＣＡＴＩＯＮ）を貼付し、現場に持ち込んだ携帯端末とＲＦＩＤ読込み書込み装置から、現場機器を固有に特定する機器番号を読み取り、携帯端末から通信接続されている操作支援ＤＢ（データベース）に保存された現場機器の操作情報を取得して、携帯端末に表示するようにしたものが記載されている。
また、現場機器の操作と遠隔での監視制御盤での操作に連絡ミスが発生しないよう同一操作内容を記載し、非接触型ＩＣタグを内蔵した２つの作業札（親子札）を用意し、親札を監視制御盤に貼付し、子札を現場機器に貼付し、遠隔と現場で操作ミスが起こらないような仕組みが記載されている。
【０００３】
【特許文献１】特開２００６−１４６７４９号公報（第６〜７頁、図１）
【発明の開示】
【発明が解決しようとする課題】
【０００４】
従来の保全・点検システムでは、特許文献１のように、保守・点検用の携帯端末と遠隔監視用の操作支援ＤＢを通信設備で接続した新たなシステムを構築する必要があり、また保守点検者は、いつも見慣れている遠隔監視画面とは別に、保守点検のための携帯端末の操作を新たに取得しなければならないなどの問題があった。
また、特に故障履歴などの情報は、古いものが蓄積されており、これを現場ですべて確認することは、非効率であるなどの問題があった。
【０００５】
この発明は、上記のような課題を解決するためになされたものであり、簡単に保守点検対象の遠隔監視に用いられる監視画面を携帯端末に表示することができる画面表示システムを得ることを目的としている。
【課題を解決するための手段】
【０００６】
この発明に係わる画面表示システムにおいては、保守点検対象機器近傍に貼付され、固有識別情報と保守点検情報が記録された非接触型ＩＣタグ、及びこの非接触型ＩＣタグから固有識別情報を読取り、この読取った固有識別情報に対応する保守点検対象機器の状態を監視する監視画面を表示する携帯端末を備え、
携帯端末は、非接触型ＩＣタグより固有識別情報を読取るタグリーダと、非接触型ＩＣタグの固有識別情報及び非接触型ＩＣタグが貼付された保守点検対象機器を対応付けた対応表と、この対応表を用いて、タグリーダにより読取られた固有識別情報に対応する保守点検対象機器を検索し、この検索した保守点検対象機器の監視画面を表示する表示制御部とを有するものである。
【発明の効果】
【０００７】
この発明は、以上説明したように、保守点検対象機器近傍に貼付され、固有識別情報と保守点検情報が記録された非接触型ＩＣタグ、及びこの非接触型ＩＣタグから固有識別情報を読取り、この読取った固有識別情報に対応する保守点検対象機器の状態を監視する監視画面を表示する携帯端末を備え、
携帯端末は、非接触型ＩＣタグより固有識別情報を読取るタグリーダと、非接触型ＩＣタグの固有識別情報及び非接触型ＩＣタグが貼付された保守点検対象機器を対応付けた対応表と、この対応表を用いて、タグリーダにより読取られた固有識別情報に対応する保守点検対象機器を検索し、この検索した保守点検対象機器の監視画面を表示する表示制御部とを有するので、保守点検現場において普段使い慣れた監視画面を使用して、保守点検対象機器に関する画面を表示できるため、現場作業の容易な実行が可能である。
【発明を実施するための最良の形態】
【０００８】
実施の形態１．
以下、この発明の実施の形態１を図１に基づいて説明する。
実施の形態１における画面表示システムは、作業者が普段、遠隔監視システムを利用してプラントの運転状況や構成機器の健常性を監視し、プラントの何らかの異常を検知した場合に、作業者が現場に行って異常を確認し、保守点検を実施する際に、普段使用している遠隔監視システムの画面をノートパソコンなどの携帯端末で表示可能とするものである。
【０００９】
図１は、この発明の実施の形態１による画面表示システムを示す概略構成図である。
図１において、画面表示システムは、携帯端末１０と、保守点検対象１３０（保守点検対象機器）近傍に貼付され、携帯端末１０により、電波信号を用いて非接触にデータの読み書き可能な非接触ＩＣタグ１２０から構成されている。
携帯端末１０は、表示制御部１００、表示装置１０１、入力装置１０２、監視画面属性表１０３、タグリーダ／ライタ１０４、機器番号・固有ＩＤ対応表１０５から構成されている。
表示制御部１００は、携帯端末１０の各部を制御する制御手段であり、ＣＰＵ等により構成される。表示装置１０１は、液晶ディスプレイ等の各種情報を表示する表示手段である。入力装置１０２は、タッチパネル、キーボード等の作業者が各種情報を入力する入力手段である。監視画面属性表１０３は、監視画面内に表示すべき機器とその表示属性を格納した表で、ハードディスク等の情報記憶手段に記憶されたものである。この監視画面属性表１０３は、保守点検対象１３０に貼付された非接触ＩＣタグ１２０内に電子的に記録された固有ＩＤ（ＩＣタグ固有識別番号）と関連付けて格納している。タグリーダ／ライタ１０４は、非接触ＩＣタグ１２０に対して、電波信号を用いて非接触にデータの読み書きを行う装置である。機器番号・固有ＩＤ対応表１０５は、機器番号１２１と非接触ＩＣタグ１２０内に電子的に記録されたＩＣタグ固有識別番号１２２（固有識別情報）とが対応付けられている。
この構成により、携帯端末１０は、遠隔監視画面を表示するプログラムを実行することができる機能を有する。
【００１０】
図２は、この発明の実施の形態１による画面表示システムの機器番号・固有ＩＤ対応表の内部構成を示す図である。
図２において、機器番号・固有ＩＤ対応表１０５は、保守点検対象１３０の機器番号１２１とＩＣタグ固有識別番号１２２とが対応付けられている。
【００１１】
図３は、この発明の実施の形態１による画面表示システムの監視画面属性表の内部構成を示す図であり、監視画面数分ある。
図３において、監視画面属性表の１レコードは、保守点検対象１３０の機器設備１つに相当し、以下のように構成される。すなわち、機器番号１３１、画面内の表示位置を示す表示位置１３２、強調表示フラグ１３３、ＩＣタグ固有識別番号１３４から構成される。
図４は、この発明の実施の形態１による画面表示システムの表示制御部の処理を示すフローチャートである。
【００１２】
次に、動作について説明する。
非接触ＩＣタグ１２０に電子的に格納されているのは、ＩＣタグ製造時に記録されるＩＣタグ固有識別番号であるが、これは独自の番号を決めて記録してもよいし、また、機器番号そのものを記憶してもよい。今回は、非接触ＩＣタグ１２０内のデータ改ざん防止の観点や、安価な読み込み専用ＩＣタグの利用も考慮し、ＩＣタグ固有識別番号を用いた例で説明する。
以下に、表示制御部１００の動作について、図４のフローチャートを用いて説明する。
Ｓ１０１で、タグリーダ／ライタ１０４を介して、非接触ＩＣタグ１２０からＩＣタグ固有識別番号を読み込む。
Ｓ１０２で、監視画面属性表１０３にあるＩＣタグ固有識別番号を検索し、このＩＣタグ固有識別番号を含む画面を検索する。（ただし初めての場合には登録されていない。）
Ｓ１０３で、該当する画面があるかどうかを判定し、ＩＣタグ固有識別番号が登録済みであればＳ１０８へ進み、登録画面を表示する。登録済みでなければ、未登録画面ということで、Ｓ１０４へ進む。
Ｓ１０４で、機器番号・固有ＩＤ対応表１０５から読み込んだＩＣタグ固有識別番号に対応する機器番号を検索する。
Ｓ１０５で、監視画面属性表１０３にあるＳ１０４で検索した機器番号を用いて、当該機器を表示している画面を検索する。
Ｓ１０６で、検索結果が１画面か複数画面かを判断し、複数画面の場合にはＳ１０７へ、そうでなければＳ１０８へ進む。
Ｓ１０７で、検索結果が複数画面の場合には、候補画面番号を表示し、ユーザに選択を求める。
Ｓ１０８で、該当する画面を表示装置１０１に表示する。
Ｓ１０９で、Ｓ１０６で画面が複数検索された場合は、Ｓ１０７で選択された画面の監視画面属性表１０３、またはＳ１０６で検索された画面が１つであれば、その画面の監視画面属性表１０３内の機器番号行のＩＣタグ固有識別番号１３４に、Ｓ１０１で読み込んだＩＣタグ固有識別番号を入力する。
【００１３】
上記のように、現場作業者は、非接触ＩＣタグ１２０を読み込むだけで、普段使い慣れた監視画面を即時に表示可能であり、また複数ある場合には、対応する画面を選択可能である。さらに選択した画面と機器を関連づけるために、監視画面属性表１０３に固有ＩＤを記録し、一度登録された画面は、次回作業時には監視画面属性表を検索する（Ｓ１０２）のみで登録された対象画面を即時に表示可能である。
なお、上記では、非接触ＩＣタグを用いた例を示したが、バーコードを用いても同様の効果が期待できる。
【００１４】
実施の形態１によれば、このように、現場作業において普段使い慣れた監視画面を使用して、対象点検機器に関する画面を即時に表示できるため、現場作業の容易な実行が可能である等の効果が期待できる。
【００１５】
実施の形態２．
図５は、この発明の実施の形態２による画面表示システムの表示制御部の処理を示すフローチャートである。
以下、この発明の実施の形態２を図のフローチャートに基づいて説明する。なお、実施の形態１と同じものに関しては、その説明を省略する。
実施の形態２の画面表示システムは、保守点検対象１３０に何らかの異常を検知した作業者が現場に携帯して異常を確認したり、保守点検作業をする際に、保守点検対象１３０付近に貼付された非接触型ＩＣタグ１３０に携帯端末１０をかざし、所望の画面を検索するまでは、実施の形態１で示した図４のフローチャートＳ１０６（及びＳ１０７）までと同じである。
【００１６】
以下、図４のＳ１０６及びＳ１０７以降の処理について、図５を使用して説明する。
Ｓ２０１で、監視画面属性表１０３にある当該保守点検対象１３０の表示位置を画面の中心とし、表示装置１０１に表示する。これにより、保守点検対象１３０を容易に識別することができる。
Ｓ２０２で、監視画面属性表１０３にある強調表示フラグをＯｎにして、表示装置１０１に表示する。これにより、現場で画面が見にくい状況でも当該保守点検対象１３０に関する監視画面を画面の中心にし、強調表示（ブリンク表示など）した上で閲覧可能とすることができる。
【００１７】
実施の形態２によれば、上記のように、現場作業者は、非接触ＩＣタグ１２０を読み込むだけで、普段使い慣れた監視画面を即時に表示可能であり、現場で画面が見にくい状況でも当該保守点検対象１３０に関する監視画面を画面の中心で、強調表示（ブリンク表示など）した上で閲覧可能となるため、保守点検対象１３０を容易に識別でき、現場作業の容易な実行が可能である等の効果が期待できる。
【００１８】
実施の形態３．
以下、この発明の実施の形態３を図６、図７、図８および図９のフローチャートに基づいて説明する。なお、実施の形態１と同じものに関しては、その説明を省略する。
図６は、この発明の実施の形態３による画面表示システムを示す概略構成図である。
図６において、１０、１００〜１０２、１０４、１０５、１２０、１３０は図１におけるものと同一のものである。図６では、携帯端末１０に、図１の監視画面属性表１０３に替えて、例えば、当該機器の故障などの状態変化や操作履歴を格納する表であるイベントデータ（警報、操作履歴）１０６（イベント情報）を設けている。
【００１９】
図７は、この発明の実施の形態３による画面表示システムのイベントデータの内部構成を示す図である。
図７において、イベントデータ１０６は、時間１４１、機器番号１４２、状態１４３を有している。時間１４１は、イベントの発生時刻であり、機器番号１４２は、イベントの発生した機器を示す番号である。状態１４３は、当該機器の故障状態や、操作履歴の場合に、操作した内容が文字列あるいはコードで格納されている。
【００２０】
図８は、この発明の実施の形態３による画面表示システムの非接触ＩＣタグの内部構成を示す図である。
図８において、非接触ＩＣタグ１２０は、ＩＣタグ固有識別番号１２２ごとに、点検日付１２３が書き込まれている。
図９は、この発明の実施の形態３による画面表示システムの表示制御部の処理を示すフローチャートである。
【００２１】
以下、実施の形態３の表示制御部１００の処理について、図９を使用して説明する。
Ｓ３０１で、タグリーダ／ライタ１０４で、非接触ＩＣタグ１２０内のＩＣタグ固有識別番号を読み込む。
Ｓ３０２で、機器番号・固有ＩＤ対応表１０５からＩＣタグ固有識別番号に対応する機器番号を検索する。
Ｓ３０３で、イベントデータ１０６から当該機器番号に関するデータを検索する。
Ｓ３０４で、検索したイベントデータを画面に表示する。
Ｓ３０５で、現場確認した日付（保守点検日）を非接触ＩＣタグ１２０に書き込む。
これにより、現場作業者は、非接触ＩＣタグ１２０を読み込むだけで、イベントが発生した保守点検対象１３０に関する過去の故障履歴や操作履歴などのイベントデータを表画面から入手可能になる。
【００２２】
実施の形態３によれば、上記のように、現場作業者は、非接触ＩＣタグ１２０を読み込むだけで、イベントが発生した保守点検対象装置に関する過去の故障履歴や操作履歴などのイベントデータを表画面から入手可能であり、現場作業の容易な実行が可能である等の効果が期待できる。
また、イベントを確認した日付が現場に貼付された非接触ＩＣタグ内に残り、保守作業を確実に行ったことの証明となるため、保守作業モラルの向上にも繋がる。
【００２３】
なお、実施の形態３では、現場確認した日付を最新の１つ分のみ記録する形態としたが、非接触ＩＣタグの電子的記録領域が許せば、複数分記録する仕組みとすることで、さらに効果がある。
【００２４】
実施の形態４．
以下、この発明の実施の形態４を図１０、図１１、および図１２のフローチャートに基づいて説明する。なお、実施の形態１と同じものに関しては、その説明を省略する。
図１０は、この発明の実施の形態４による画面表示システムを示す概略構成図である。
図１０において、１０、１００〜１０２、１０４、１０５、１２０、１３０は図１におけるものと同一のものである。図１０では、携帯端末１０に、図１の監視画面属性表１０３に替えて、トレンドデータ１０７（トレンド情報）を設けている。このトレンドデータ１０７は、当該保守点検対象１３０の計測値などを一定周期毎に格納する表であり、この表は主にグラフ画面として遠隔監視に使用するなど、プラントの運転状況および当該機器（保守点検対象１３０）の運用状況を把握することを目的とするデータである。
【００２５】
図１１は、この発明の実施の形態４による画面表示システムのトレンドデータの内部構成を示す図である。
図１１において、トレンドデータ１０７のサンプル時間１５１は、トレンドデータの取得時刻であり、これに続く機器番号１５２のレコードは、機器番号に該当する保守点検対象１３０の計測値である。
図１２は、この発明の実施の形態４による画面表示システムの表示制御部の処理を示すフローチャートである。
【００２６】
以下、実施の形態４の表示制御部１００の処理について、図１２を使用して説明する。
Ｓ４０１で、タグリーダ／ライタ１０４で、非接触ＩＣタグ１２０内のＩＣタグ固有識別番号を読み込む。
Ｓ４０２で、機器番号・固有ＩＤ対応表１０５から、読み込んだＩＣタグ固有識別番号に対応する機器番号を検索する。
Ｓ４０３で、トレンドデータ１０７から、当該機器番号に関するデータを検索する。
これにより、非接触ＩＣタグ１２０を読み込むだけで、当該保守点検対象装置に関する過去の計測値のトレンド情報をグラフ画面に表示することができる。
【００２７】
実施の形態４によれば、上記のように、現場作業者は、非接触ＩＣタグ１２０を読み込むだけで、当該保守点検対象装置に関する過去の計測値のトレンド情報をグラフ画面等の表示により入手可能であり、現場作業の容易な実行が可能である等の効果が期待できる。
【００２８】
実施の形態５．
以下、この発明の実施の形態５を図１３のフローチャートに基づいて説明する。
なお、画面表示システムの構成及びイベントデータの内部構成は、実施の形態３の図６、図７と同じである。
図１３は、この発明の実施の形態５による画面表示システムの表示制御部の処理を示すフローチャートである。
実施の形態５は、実施の形態３で記載した非接触性ＩＣタグ１２０内に保守点検日が保存されていることを前提としている。実施の形態５では、この日付を基にして、過去の故障履歴や操作履歴などのイベント情報を検索するようにしたものである。
【００２９】
以下に、実施の形態５について、図１３のフローチャートを用いて説明する。
図１３のＳ３０１、Ｓ３０２、Ｓ３０４、Ｓ３０５は、実施の形態３の図９のステップと同じである。
Ｓ３０１で、タグリーダ／ライタ１０４で、非接触ＩＣタグ１２０内のＩＣタグ固有識別番号と前回記録した日付（最新の保守点検日）を読み込む。
Ｓ３０２で、機器番号・固有ＩＤ対応表１０５から、読み込んだＩＣタグ固有識別番号に対応する機器番号を検索する。
Ｓ５０１で、イベントデータ１０６から前回以降発生した当該機器番号に関するイベントデータを検索する。
Ｓ３０４で、検索したイベントデータを画面に表示する。
Ｓ３０５で、現場確認した日付（保守点検日）を非接触ＩＣタグ１２０に書き込む。
これにより、非接触ＩＣタグ１２０を読み込むだけで、当該保守点検対象装置に関する過去の故障履歴や操作履歴などのイベント情報を画面表示することができる。
【００３０】
実施の形態５によれば、上記のように、現場作業者は、非接触ＩＣタグ１２０を読み込むだけで、当該保守点検対象装置に関する過去の故障履歴や操作履歴などのイベントデータを表示画面から入手可能であり、しかも前回点検確認以降のイベントデータのみを選択して入手可能なため、余計なデータを見る必要がなく、現場作業の容易な実行が可能である等の効果が期待できる。
【図面の簡単な説明】
【００３１】
【図１】この発明の実施の形態１による画面表示システムを示す概略構成図である。
【図２】この発明の実施の形態１による画面表示システムの機器番号・固有ＩＤ対応表の内部構成を示す図である。
【図３】この発明の実施の形態１による画面表示システムの監視画面属性表の内部構成を示す図である。
【図４】この発明の実施の形態１による画面表示システムの表示制御部の処理を示すフローチャートである。
【図５】この発明の実施の形態２による画面表示システムの表示制御部の処理を示すフローチャートである。
【図６】この発明の実施の形態３による画面表示システムを示す概略構成図である。
【図７】この発明の実施の形態３による画面表示システムのイベントデータの内部構成を示す図である。
【図８】この発明の実施の形態３による画面表示システムの非接触ＩＣタグの内部構成を示す図である。
【図９】この発明の実施の形態３による画面表示システムの表示制御部の処理を示すフローチャートである。
【図１０】この発明の実施の形態４による画面表示システムを示す概略構成図である。
【図１１】この発明の実施の形態４による画面表示システムのトレンドデータの内部構成を示す図である。
【図１２】この発明の実施の形態４による画面表示システムの表示制御部の処理を示すフローチャートである。
【図１３】この発明の実施の形態５による画面表示システムの表示制御部の処理を示すフローチャートである。
【符号の説明】
【００３２】
１０  携帯端末
１００  表示制御部
１０１  表示装置
１０２  入力装置
１０３  監視画面属性表
１０４  タグリーダ／ライタ
１０５  機器番号・固有ＩＤ対応表
１０６  イベントデータ
１０７  トレンドデータ
１２０  非接触ＩＣタグ
１３０  保守点検対象
【図１】
2008191769.tif 000003
【図２】
2008191769.tif 000004
【図３】
2008191769.tif 000005
【図４】
2008191769.tif 000006
【図５】
2008191769.tif 000007
【図６】
2008191769.tif 000008
【図７】
2008191769.tif 000009
【図８】
2008191769.tif 000010
【図９】
2008191769.tif 000011
【図１０】
2008191769.tif 000012
【図１１】
2008191769.tif 000013
【図１２】
2008191769.tif 000014
【図１３】
2008191769.tif 000015